(57)【要約】【課題】サイズの異なる記録媒体や、誤って挿入される可能性のある種々の形状の異物の侵入を防止することができる記録再生装置を提供する。【解決手段】記録再生装置の搬送路に沿って、スライドゲート３，４からなる第１のゲートと、第２のゲート６とが設けられている。スライドゲート３，４は、搬送路に沿って搬送される物体に当接するゲートピン３ａ，４ａを有し、搬送路の幅方向に移動可能に構成されている。第２のゲートは、物体の通過を遮断する遮断位置にあるが、上記物体との当接によりスライドゲート３，４のゲートピン３ａ，４ａが押し広げられると、遮断位置から退避する。【選択図】        図２
2004348855.tif 000002
【特許請求の範囲】
【請求項１】
記録媒体を、搬送路に沿って所定の装着位置まで搬送する搬送機構と、
前記搬送路に沿って搬送される物体に当接し、前記当接の状態に応じて位置が変化しうる第１のゲートと、
前記搬送路の前記第１のゲートよりも前記装着位置側に、前記物体の通過を遮断するように設けられた第２のゲートと
を備え、
前記第１のゲートの位置が、搬送される前記物体により所定の位置まで変化したときに、前記第２のゲートが前記遮断を解除することを特徴とする記録再生装置。
【請求項２】
前記第１のゲートは、前記搬送路の幅方向中央部を挟んで両側に設けられた２つの可動部材を有し、
前記２つの可動部材の両方が、前記物体との当接により、互いに離間する方向に移動したときに、前記第２のゲートが前記遮断を解除することを特徴とする請求項１に記載の記録再生装置。
【請求項３】
前記第１のゲートの前記２つの可動部材の移動方向は、前記搬送路の幅方向であることを特徴とする請求項２に記載の記録再生装置。
【請求項４】
前記第１のゲートの前記２つの可動部材が、前記物体に当接する当接部をそれぞれ有し、
前記第１のゲートにおいて、前記２つの可動部材の各当接部の間隔が所定の間隔に達したときに、前記第２のゲートが前記遮断を解除することを特徴とする請求項２又は３に記載の記録再生装置。
【請求項５】
前記第１のゲートにおいて、前記２つの可動部材の各当接部の間隔は、前記物体に当接する前の初期状態において、８ｃｍよりも広く１２ｃｍよりも狭いことを特徴とする請求項４に記載の記録再生装置。
【請求項６】
前記第１のゲートにおいて、前記２つの可動部材の各当接部の間隔は、前記物体に当接する前の初期状態において、８ｃｍよりも狭いことを特徴とする請求項４に記載の記録再生装置。
【請求項７】
前記第１のゲートにおいて、前記２つの可動部材の各当接部の間隔が略１２ｃｍに達したときに、前記第２のゲートが前記遮断を解除することを特徴とする請求項４に記載の記録再生装置。
【請求項８】
前記第２のゲートは、前記搬送路の幅方向に延在する軸線を中心として回動可能に構成され、
前記第２のゲートを、前記遮断を解除する方向に回動するよう付勢する付勢手段をさらに備えたことを特徴とする請求項２から７までのいずれかに記載の記録再生装置。
【請求項９】
前記第１のゲートの前記２つの可動部材は、前記第２のゲートに当接してその回動を規制するよう構成され、
前記２つの可動部材が、前記搬送路に沿って搬送される物体との当接により互いに離間する方向に移動することにより、前記第２のゲートに対する回動規制を解除することを特徴とする請求項８に記載の記録再生装置。
【発明の詳細な説明】
【０００１】
【発明の属する技術分野】
この発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）等の記録媒体を用いる記録再生装置に関し、より詳細には、所謂スロットインタイプの搬送機構を備えた記録再生装置に関する。
【０００２】
【従来の技術】
記録再生装置には、挿入口から挿入されたディスク（記録媒体）を、情報の記録等が行われる装着位置まで搬送する所謂スロットインタイプの搬送機構を備えたものがある。この種の記録再生装置では、ディスクの種別等を判別するため、搬送路に一定の間隔を開けて２つの光検出器が配置されており、装着位置の近傍にはマイクロスイッチが配置されている。これら光検出器及びマイクロスイッチからの検出信号のタイミングに基づいて、ディスクの種別等の判別が行われる（例えば、特許文献１参照）。
【０００３】
【特許文献１】
特開２０００−１４９３６７号公報（第５−８頁、図１）
【０００４】
【発明が解決しようとする課題】
しかしながら、上述した従来の記録再生装置では、光検出器及びマイクロスイッチの配設間隔が比較的広いため、これら光検出器等に検知されずに、ディスク以外の種々の形状の異物（例えば、クレジットカード、葉書、アイスキャンディの棒など）が記録再生装置内に挿入される可能性がある。このような異物が記録再生装置内に侵入すると、記録再生装置の故障の原因になる上、異物を取り出す作業にも多大な労力及び時間を要する。
【０００５】
また、ＣＤチェンジャー及びＤＶＤチェンジャーは、直径１２ｃｍのディスクのみに対応し、直径８ｃｍのディスクには対応していない場合が多いが、使用者が誤って直径８ｃｍのディスクを挿入する可能性がある。そのため、直径８ｃｍのディスクについても異物と同様に扱い、記録再生装置内への侵入を防止する必要がある。
【０００６】
本発明は、上述のような課題を解消するためになされたもので、サイズの異なる記録媒体や、種々の形状の異物の侵入を防止することができる記録再生装置を提供することを目的とする。
【０００７】
【課題を解決するための手段】
本発明に係る記録再生装置は、記録媒体を搬送路に沿って所定の装着位置まで搬送する搬送機構と、前記搬送路に沿って搬送される物体に当接可能であり、前記当接の状態に応じて位置が変化しうる第１のゲートとを備えている。前記搬送路の前記第１のゲートよりも前記装着位置側には、前記物体の通過を遮断するように第２のゲートが設けられている。前記第１のゲートの位置が、搬送される前記物体により所定の位置まで変化したときに、前記第２のゲートが前記遮断を解除する。
【０００８】
【発明の実施の形態】
以下、この発明をその実施の形態を示す図面に基づいて具体的に説明する。
実施の形態１．
図１は、この発明の実施の形態１に係る記録再生装置の外形を示す斜視図である。この記録再生装置は、直径１２ｃｍのディスク（記録媒体）１に対して情報の記録若しくは再生（又はその両方）を行うものである。記録再生装置の筐体１３の内部において、ディスク１を回転させて情報の記録若しくは再生を行う位置を、装着位置Ｍとする。記録再生装置の筐体１３は、その一面（図中、左下側の面）に、フロントパネル１４を有している。このフロントパネル１４には、ディスク１を挿入するため、水平方向に延在するスロット状の挿入口１５が形成されている。
【０００９】
以下の説明では、鉛直方向、すなわち記録再生装置内のディスク１の面に直交する方向をＺ方向とし、スロット状の挿入口１５の長手方向と平行な方向をＸ方向とする。ディスク１の搬送方向は、上記Ｘ方向及びＺ方向に直交する方向であり、これをＹ方向とする。なお、上記Ｘ方向については、図１において左上側から右下側に向かう方向を＋Ｘ方向とし、その反対方向を−Ｘ方向とする。また、上記Ｙ方向については、記録再生装置内に向かう方向（搬入方向）を＋Ｙ方向とし、記録再生装置外に向かう方向（搬出方向）を−Ｙ方向とする。
【００１０】
図２は、ディスク１の搬送路の構成を示す斜視図である。挿入口（図１）から挿入されたディスク１を搬送するため、筐体１３（図１）の内側に設けられたベース５上には搬送ローラ２が設けられている。搬送ローラ２は、その軸方向がＸ方向と一致するように配置されており、その軸方向両端に支軸２１，２２を有している。これら支軸２１，２２は、ベース５上に取り付けられた一対の軸受部２３，２４により回転可能に支持されている。この搬送ローラ２は、図示しない駆動モータによって正逆両方向に回転駆動され、＋Ｙ方向又は−Ｙ方向にディスク１を搬送する。この搬送ローラ２の回転により搬送されるディスク１の通過経路を、搬送路と呼ぶ。
【００１１】
搬送ローラ２の−Ｙ方向（図中手前側）に隣接して、第１のゲートを構成する一対の可動部材であるスライドゲート３，４が設けられている。スライドゲート３，４は、いずれもＸ方向に長い板状の部材であり、搬送路のＸ方向中心に対して両側にそれぞれ配置されている。
【００１２】
スライドゲート３はＸ方向に長い案内溝３１を有し、この案内溝３１には、ベース５上に突設された案内ピン３２が係合している。また、スライドゲート３の−Ｘ方向の端部には、ゲートピン（当接部）３ａが取り付けられている。このゲートピン３ａの軸方向は、Ｚ方向と略一致している。ゲートピン３ａの図示しない下端部は、スライドゲート３の下方に突出しており、ベース５にＸ方向に形成された案内溝３３に係合している。案内溝３１と案内ピン３２との係合、及びゲートピン３ａと案内溝３３との係合により、スライドゲート３は＋Ｘ方向及び−Ｘ方向に移動可能に案内される。また、スライドゲート３の−Ｘ方向の端部から、略長方形の板状部分である規制部３ｂが＋Ｙ方向に延在している。
【００１３】
スライドゲート４は、搬送路のＸ方向中心に対してスライドゲート３と対称な形状を有している。すなわち、スライドゲート４は、Ｘ方向に長い案内溝４１を有し、この案内溝４１には、ベース５上に突設された案内ピン４２が係合している。また、スライドゲート４の＋Ｘ方向の端部には、ゲートピン（当接部）４ａが取り付けられている。このゲートピン４ａの軸方向は、Ｚ方向と略一致している。ゲートピン４ａの図示しない下端部は、スライドゲート４の下方に突出しており、ベース５にＸ方向に形成された案内溝４３に係合している。スライドゲート４の＋Ｘ方向の端部から、略長方形の板状部分である規制部４ｂが＋Ｙ方向に延在している。
【００１４】
スライドゲート３の移動範囲は、案内溝３１と案内ピン３２との係合により規制され、スライドゲート４の移動範囲は、案内溝４１と案内ピン４２との係合により規制されている。スライドゲート３，４が互いに最も接近した位置（初期位置とする。）にあるときには、ゲートピン３ａ，４ａの間隔は８ｃｍよりも広く、１２ｃｍよりも狭い。また、スライドゲート３，４が互いに最も離間した位置にあるときには、ゲートピン３ａ，３ｂの間隔は１２ｃｍよりも広い。スライドゲート３，４は、搬送される物体に当接していない状態では、それぞれ上記の初期位置にあるものとする。
【００１５】
搬送ローラ２の＋Ｙ方向（図中右上側）に隣接して、第２のゲート６と、この第２ゲート６を回動させるためのスライダ７とが設けられている。図３は、第２のゲート６及びスライダ７をそれぞれ別々に示す斜視図である。第２のゲート６は、Ｘ方向に長い略長方形の板状部材であり、その長手方向中央部及び両端部に、互いに平行に突出する凸部６０，６１，６２を有している。中央部の凸部６０は、後述するスライダ７に当接付勢されるものである。両端部の凸部６１，６２には、Ｘ方向に延在する支軸６５，６６（図中一点差線で示す。）が形成されており、これら支軸６５，６６はベース５上の軸受部６３，６４（図２）により回動可能に支持されている。すなわち、第２のゲート６は、支軸６５，６６を中心として回動可能に構成されている。凸部６０を挟んでＸ方向両側には、この凸部６０よりも突出量の大きいアーム部６ａ，６ｂが形成されている。アーム部６ａ，６ｂは、上述したスライドゲート３，４の規制部３ｂ，４ｂ（図２）に当接している。
【００１６】
図３に示すように、スライダ７は、第２のゲート６の凸部６０の下方に配置され、Ｘ方向に長い長尺状の当接部７ａを有している。この当接部７ａのＸ方向両端には、水平に設けられた底板部７１，７２が一体に形成されている。底板部７１，７２には、Ｙ方向に延在する案内溝７３，７４がそれぞれ形成されている。案内溝７３，７４には、ベース５（図２）上に設けられたピン５ａ，５ｂが係合しており、これにより、スライダ７は＋Ｙ方向及び−Ｙ方向に移動可能に支持されている。
【００１７】
スライダ７の当接部７ａには、コイルバネ８の一端が固定されており、このコイルバネ８の他端は、ベース５（図２）のバネ取付け部に固定されている。このコイルバネ８の弾性力により、スライダ７は−Ｙ方向に付勢されている。また、スライダ７の当接部７ａの前面（すなわち−Ｙ方向側の面）は、第２のゲート６の凸部６０に当接している。すなわち、スライダ７は、コイルバネ８の弾性力を利用して、第２のゲート６を、図中矢印Ｃで示す方向に回動するよう付勢している。
【００１８】
図２に示すように、スライドゲート３，４が初期位置にあるときには、その規制部３ｂ，４ｂが第２のゲート６のアーム部６ａ，６ｂにそれぞれ当接しているため、第２のゲート６の矢印Ｃで示す方向への回動が規制される。また、この状態において、第２のゲート６の凸部６０には、スライドゲート３，４と反対の側からスライダ７が当接しているが、このスライダ７の＋Ｙ方向への移動はピン５ａ，５ｂ（図３）により規制されていることから、第２のゲート６の矢印Ｃと反対方向への回動も規制される。従って、この状態では、第２のゲート６はどの方向にも回動せず、鉛直方向（板面が鉛直面をなすような方向）を向いている。一方、スライドゲート３，４がそれぞれ−Ｘ方向及び＋Ｘ方向に移動して、第２のゲート６のアーム部６ａ，６ｂとの当接位置からそれぞれ退避すると、第２のゲート６の矢印Ｃ方向の回動規制が解除される。その結果、コイルバネ８の弾性力によりスライダ７が−Ｙ方向に移動し、スライダ７に付勢された第２のゲート６が矢印Ｃで示す方向に所定角度回動する。
【００１９】
図４は、第２のゲート６の作用を示す模式図である。上述した搬送ローラ２の上側には、一定のクリアランスを介して案内部材１８が対向配置されている。記録媒体１は、搬送ローラ２と案内部材１８との間を通り、装着位置Ｍ（図１）に向けて＋Ｙ方向に搬送される。第２のゲート６は、鉛直方向を向いている状態では、搬送ローラ２により搬送される記録媒体１の通過を遮断する。このときの第２のゲート６の位置を、遮断位置とする。一方、第２のゲート６が矢印Ｃで示す方向に回動し、図中破線で示すように遮断位置から退避すると、記録媒体１の通過が可能になる。
【００２０】
次に、この記録再生装置の動作について説明する。図５〜７は、ディスク１の搬送に伴う第１及び第２のゲートの動作を説明するための工程毎の上面図である。図５に示すように、ディスク１が挿入される前の状態では、第１のゲートを構成するスライドゲート３，４はそれぞれ初期位置にあり、ゲートピン３ａ，４ａの間隔（初期間隔とする。）ａは８ｃｍより広い。また、第２のゲート６は、搬送路における物体の通過を遮断する遮断位置にある。スライダ７は、コイルバネ８の付勢力により、第２のゲート６を−Ｙ方向に付勢しているが、スライドゲート３，４の規制部３ｂ，４ｂが第２のゲート６のアーム部６ａ，６ｂ（図２）にそれぞれ当接し、第２のゲート６の回動を規制している。
【００２１】
この状態で、使用者が挿入口１５（図１）からディスク１を挿入すると、ディスク１の外周端面がスライドゲート３，４のゲートピン３ａ，４ａに当接する。また、ディスク１の先端は搬送ローラ２まで達し、搬送ローラ２の回転により、ディスク１の＋Ｙ方向への搬送が開始される。なお、搬送ローラ２は、ディスク１の挿入を光学式センサ等により検知したときに回転を開始するようにしても良いし、他の手段により回転を開始するようにしても良い。
【００２２】
ゲートピン３ａ，４ａの初期間隔ａは８ｃｍよりも広く、１２ｃｍよりも狭いため、直径１２ｃｍのディスク１が搬送ローラ２により＋Ｙ方向に搬送されると、図６に示すように、ディスク１の外周端面がゲートピン３ａ，４ａを付勢する。ディスク１の外周端面がゲートピン３ａ，４ａを付勢する力Ｆ３，Ｆ４は、各接点における当該外周端面の法線方向に作用し、それぞれＸ方向成分を有している。スライドゲート３，４は、力Ｆ３，Ｆ４の各Ｘ方向成分により、それぞれ−Ｘ方向及び＋Ｘ方向に（すなわち、互いに離間する方向に）移動する。
【００２３】
スライドゲート３，４の移動により、ゲートピン３ａ，３ｂが所定の間隔に押し広げられると、スライドゲート３，４の規制部３ｂ，４ｂが第２のゲート６のアーム部６ａ，６ｂに当接する位置から退避するため、第２のゲート６の回動規制が解除される。第２のゲート６は、スライダ７及びコイルバネ８によって−Ｙ方向に付勢されているため、回動規制の解除と共に矢印Ｃで示す方向に回動する。その結果、第２のゲート６が遮断位置から退避し、ディスク１の通過が可能になる。
【００２４】
そののち、図７に示すように、搬送ローラ２の回転により、ディスク１が第２のゲート６の配設位置を通過し、装着位置Ｍ（図１）に向けて搬送される。スライドゲート３，４のゲートピン３ａ，４ａの間隔は少なくとも１２ｃｍまで広げられるので、直径１２ｃｍのディスク１はゲートピン３ａ，４ａの間を完全に通過することができる。記録媒体１が装着位置Ｍ（図１）に達すると、図示しないスピンドルモータ等により記録媒体１が回転し、記録媒体１に対する情報の記録又は再生（又はその両方）が行われる。
【００２５】
記録媒体１に対する情報の記録等が完了したのち、搬送ローラ２の逆回転（すなわち、装着位置Ｍへの搬送時とは逆方向の回転）により、記録媒体１が−Ｙ方向に搬送され、挿入口１５（図１）を介して外部に搬出される。そののち、図示しない機構により、第２のゲート６及びスライダ７が元の位置（遮断位置）に復帰し、また、第１のゲートを構成するスライドゲート３，４もそれぞれの初期位置に復帰する。
【００２６】
次に、使用者が、記録再生装置に誤って異物（具体的には、直径８ｃｍのディスク、クレジットカード、葉書及びアイスキャンディの棒）を挿入した場合の動作につき、図８〜図１９を参照してそれぞれ説明する。
【００２７】
まず、使用者が、この記録再生装置で使用できない直径８ｃｍのディスク９を誤って挿入した場合について説明する。図８は、直径８ｃｍのディスク９が、搬送路のＸ方向中央部に挿入された場合の第１及び第２のゲートの動作例を説明するための上面図である。第１のゲート（スライドゲート３，４）のゲートピン３ａ，４ａの初期間隔ａは８ｃｍよりも広い。従って、図中一点鎖線で示す直径８ｃｍのディスク９は、ゲートピン３ａ，４ａの間をこれらに当接することなく通過し、搬送ローラ２に達する。直径８ｃｍのディスク９がゲートピン３ａ，４ａに当接しないため、スライドゲート３，４は初期位置から移動せず、それぞれの規制部３ｂ，４ｂが第２のゲート６の回動を規制している。そのため、直径８ｃｍのディスク９は、搬送ローラ２の回転により＋Ｙ方向に搬送されても、第２のゲート６に当接してそれ以上内部には侵入できない。記録再生装置の図示しない制御部は、一定時間経過しても搬送対象物が装着位置に到達しない場合には、異物と判断して搬送ローラ２を逆回転させる。これにより、直径８ｃｍのディスク９は挿入口１５（図１）から外部に排出される。
【００２８】
図９は、直径８ｃｍのディスク９が、搬送路の−Ｘ方向の端部（図中左端部）に挿入された場合の第１及び第２のゲートの動作例を示す上面図である。図９に示すように直径８ｃｍのディスク９が搬送路の図中左端部に挿入された場合、このディスク９は図中左側のゲートピン３ａのみに当接し、図中右側のゲートピン４ａには当接しない。そのため、スライドゲート３は−Ｘ方向に移動するが、スライドゲート４は初期位置にとどまっており、その規制部４ｂが第２のゲート６の回動を規制している。直径８ｃｍのディスク９は、搬送ローラ２の回転により＋Ｙ方向に搬送されるが、第２のゲート６に当接してそれ以上内部には侵入できない。この状態で一定時間が経過すると上述したように搬送ローラ２が逆回転し、直径８ｃｍのディスク９が排出される。
【００２９】
図１０は、直径８ｃｍのディスク９が、搬送路の＋Ｘ方向の端部（図中右端部）に挿入された場合の第１及び第２のゲートの動作例を示す上面図である。図１０に示すように直径８ｃｍのディスク９が搬送路の図中右端部に挿入された場合、このディスク９は図中右側のゲートピン４ａのみに当接し、図中左側のゲートピン３ａには当接しない。そのため、スライドゲート４は＋Ｘ方向に移動するが、スライドゲート３は初期位置にとどまっており、その規制部３ｂが第２のゲート６の回動を規制している。直径８ｃｍのディスク９は、搬送ローラ２の回転により＋Ｙ方向に搬送されるが、第２のゲート６に当接してそれ以上内部には侵入できない。この状態で一定時間が経過すると上述したように搬送ローラ２が逆回転し、直径８ｃｍのディスク９が排出される。
【００３０】
次に、使用者が、記録再生装置に誤ってクレジットカード１０を挿入した場合について説明する。図１１は、クレジットカード１０が搬送路のＸ方向中央部に挿入された場合の第１及び第２のゲートの動作例を示す上面図である。図中一点鎖線で示すクレジットカード１０の幅は、第１のゲート（スライドゲート３，４）のゲートピン３ａ，４ａの初期間隔よりも狭いため、クレジットカード１０はゲートピン３ａ，４ａの間をこれらに当接することなく通過し、搬送ローラ２に達する。クレジットカード１０がゲートピン３ａ，４ａに当接しないため、スライドゲート３，４が初期位置から移動せず、それぞれの規制部３ｂ，４ｂが第２のゲート６の回動を規制している。クレジットカード１０は、搬送ローラ２の回転により＋Ｙ方向に搬送されるが、第２のゲート６に当接してそれ以上内部には侵入できない。この状態で一定時間が経過すると搬送ローラ２が逆回転し、クレジットカード１０が排出される。
【００３１】
図１２は、クレジットカード１０が搬送路の−Ｘ方向の端部（図中左端部）に挿入された場合の第１及び第２のゲートの動作例を示す上面図である。図１２に示すようにクレジットカード１０が搬送路の図中左端部に挿入された場合、クレジットカード１０は図中左側のゲートピン３ａに当接する。クレジットカード１０の先端縁は挿入方向（Ｙ方向）に対して直交しているため、クレジットカード１０の先端縁とゲートピン３ａとの接点にはＹ方向の力ｆｃが働く。この力ｆｃは、スライドゲート３を移動させる方向（Ｘ方向）の成分を有さないため、スライドゲート３を移動させることはできない。従って、クレジットカード１０は、ゲートピン３ａの配設位置を越えて記録再生装置内に侵入することはできない。
【００３２】
図１３は、クレジットカード１０が搬送路の＋Ｘ方向の端部（図中右端部）に挿入された場合の第１及び第２のゲートの動作例を示す上面図である。図１３に示すようにクレジットカード１０が搬送路の図中右端部に挿入された場合、クレジットカード１０は図中右側のゲートピン４ａに当接する。図１２に示した場合と同様、クレジットカード１０の先端縁とゲートピン４ａとの接点にはＹ方向の力ｆｃが働くが、この力ｆｃは、スライドゲート４を移動させる方向（Ｘ方向）の成分を有さないため、スライドゲート４を移動させることはできない。従って、クレジットカード１０は、ゲートピン４ａの配設位置を越えて記録再生装置内に侵入することはできない。
【００３３】
次に、使用者が、記録再生装置に誤って葉書１１を挿入した場合について説明する。図１４は、葉書１１が搬送路のＸ方向中央部に挿入された場合の第１及び第２のゲートの動作例を示す上面図である。図中一点鎖線で示す葉書１１の幅は、第１のゲート（スライドゲート３，４）のゲートピン３ａ，４ａの初期間隔よりも広いため、搬送路のＸ方向中央部に挿入された葉書１１はゲートピン３ａ，４ａの両方に当接する。葉書１１の先端縁は挿入方向（Ｙ方向）と直交しているため、葉書１１の先端縁とゲートピン３ａ，４ａとの各接点には、Ｙ方向の力ｆｈが働く。この力ｆｈは、スライドゲート３，４を移動させる方向（Ｘ方向）の成分を有さないため、スライドゲート３，４を移動させることができない。そのため、葉書１１は、このゲートピン３ａ，４ａの配設位置を越えて記録再生装置内に侵入することはできない。
【００３４】
図１５及び図１６は、葉書１１が搬送路の−Ｘ方向の端部（図中左端部）に挿入された場合及び＋Ｘ方向の端部（図中右端部）に挿入された場合の第１及び第２のゲートの動作例をそれぞれ示す上面図である。葉書１１が搬送路の図中左端部及び図中右端部のいずれに挿入された場合も、葉書１１の先端縁はゲートピン３ａ，４ａと当接する。図１４を参照して説明したように、葉書１１の先端縁とゲートピン３ａ，４ａとの各接点に作用する力ｆｈは、スライドゲート３，４を移動させる方向（Ｘ方向）の成分を有さないため、スライドゲート３，４をＸ方向に移動させることができない。そのため、図１５及び図１６に示すいずれの場合も、葉書１１は、ゲートピン３ａ，４ａの配設位置を越えて記録再生装置内に侵入することはできない。
【００３５】
次に、使用者が、記録再生装置に誤ってアイスキャンディの棒１２を挿入した場合について説明する。図１７は、アイスキャンディの棒１２（以下、単に棒１２とする。）が搬送路のＸ方向中央部に挿入された場合の第１及び第２のゲートの動作例を示す上面図である。図中一点鎖線で示す棒１２の幅は、第１のゲート（スライドゲート３，４）のゲートピン３ａ，４ａの初期間隔よりも狭い。従って、搬送路のＸ方向中央部に挿入された棒１２は、ゲートピン３ａ，４ａの間をこれらに当接することなく通過し、搬送ローラ２に達する。棒１２がゲートピン３ａ，４ａに当接しないため、スライドゲート３，４が初期位置から移動せず、それぞれの規制部３ｂ，４ｂが第２のゲート６の回動を規制している。棒１２は、搬送ローラ２の回転により＋Ｙ方向に搬送されるが、第２のゲート６に当接してそれ以上内部には侵入できない。この状態で一定時間が経過すると、搬送ローラ２が逆回転し、棒１２が排出される。
【００３６】
図１８及び図１９は、棒１２が搬送路の−Ｘ方向の端部（図中左端部）に挿入された場合及び＋Ｘ方向の端部（図中右側の端部）に挿入された場合の第１及び第２のゲートの動作例をそれぞれ示す上面図である。棒１２は、搬送路の図中左端部に挿入された場合も、搬送路の図中右端部に挿入された場合も、ゲートピン３ａ，４ａのＸ方向外側を通過して、ゲートピン３ａ，４ａのいずれにも当接せずに搬送ローラ２に達する。棒１２がゲートピン３ａ，４ａに当接しないため、スライドゲート３，４は初期位置から移動せず、それぞれの規制部３ｂ，４ｂが第２のゲート６の回動を規制している。棒１２は、搬送ローラ２の回転により＋Ｙ方向に搬送されるが、第２のゲート６に当接してそれ以上内部には侵入できない。この状態で一定時間が経過すると、搬送ローラ２が逆回転し、棒１２が排出される。
【００３７】
以上説明したように、実施の形態１によれば、搬送路に沿って搬送される物体により第１のゲート（スライドゲート３，４）のゲートピン３ａ，４ａが押し広げられたときにのみ第２のゲート６の遮断を解除するよう構成したので、直径１２ｃｍのディスク１については第２のゲート６を通過させ、それ以外の物体（すなわち異物）については第２のゲート６で通過を遮断することができる。従って、記録再生装置に誤挿入されうる種々の形状の部品に対し、その記録再生装置内への侵入を防止することができる。その結果、異物の侵入に伴う記録再生装置の故障を低減することができ、且つ、異物を除去するための煩雑な作業も不要になる。
【００３８】
また、第１のゲートを構成するスライドゲート３，４に物体が当接するようにしたので、光学式の検知手段を用いた場合よりも誤検知が少なく、従って装置構成を簡単化し、かつ信頼性を高めることができる。
【００３９】
さらに、第１のゲートを２つのスライドゲート３，４により構成したので、挿入口１５（図１）のどの位置から異物が挿入されても、その異物の記録再生装置内への侵入を阻止することができる。また、スライドゲート３，４を、搬送方向に略直交する方向（Ｘ方向）に移動可能に構成したので、搬送方向に略直交する先端縁を有する物体（例えば葉書）が挿入された場合には、第１のゲートにおいて当該物体の侵入を阻止することができる。
【００４０】
また、ゲートピン３ａ，４ａの初期間隔を８ｃｍより広くすることにより、直径８ｃｍのディスク９がスライドゲート３，４のゲートピン３ａ，４ａの両方に同時に当接することがないため、第２のゲート６による遮断が解除されることがなく、当該ディスク９の記録再生装置内への侵入を阻止することができる。
【００４１】
実施の形態２．
図２０及び図２１は、実施の形態２に係る記録再生装置における第１及び第２のゲートの動作を示す上面図である。上述した実施の形態１では、直径８ｃｍのディスク９が第１のゲート（スライドゲート３，４）のゲートピン３ａ，４ａの両方に同時に当接することがないように構成した。これに対し、実施の形態２では、図２０に示すように、直径８ｃｍのディスク９がゲートピン３ａ，４ａの両方に同時に当接しうるよう、ゲートピン３ａ，４ａの位置が設定されている。すなわち、ゲートピン３ａ，４ａの初期間隔ａが８ｃｍ以下に設定されている。但し、ゲートピン３ａ，４ａが８ｃｍより広い所定間隔以上に押し広げられない限り、スライドゲート３，４の規制部３ｂ，４ｂが第２のゲート６のアーム部６ａ，６ｂ（図２３）に当接する位置から退避せず、従って第２のゲート６の回動規制が解除されないようになっている。
【００４２】
図２０に示すように、直径８ｃｍのディスク９が搬送路のＸ方向中央部に挿入された場合、このディスク９の外周端面がゲートピン３ａ，４ａに当接し、それぞれの接点に、当該外周端面に直交する方向の力Ｆ３，Ｆ４が作用する。この力Ｆ３，Ｆ４はＸ方向成分を有しているため、スライドゲート３，４は−Ｘ方向及び＋Ｘ方向にそれぞれ移動する。しかしながら、図２１に示すように、直径８ｃｍのディスク９がゲートピン３ａ，４ａの間隔を８ｃｍより押し広げることはないため、スライドゲート３，４の規制部３ｂ，４ｂは第２のゲート６に当接してその回動を規制しており、第２のゲート６は遮断位置にある。そのため、直径８ｃｍのディスク９は、搬送ローラ２の回転により＋Ｙ方向に搬送されても、第２のゲート６に当接してそれ以上内部には侵入できない。この状態で一定時間が経過すると搬送ローラ２が逆回転し、直径８ｃｍのディスク９が排出される。
【００４３】
図２２及び図２３は、実施の形態２に係る記録再生装置に直径１２ｃｍのディスク１が挿入されたときの第１及び第２のゲートの動作を示す上面図である。図２２に示すように、直径１２ｃｍのディスク１が挿入されると、このディスク１の外周端面がゲートピン３ａ，４ａに当接し、それぞれの接点に、当該外周端面に直交する方向の力Ｆ３，Ｆ４が作用する。この力Ｆ３，Ｆ４はＸ方向成分を有しているため、スライドゲート３，４は−Ｘ方向及び＋Ｘ方向にそれぞれ移動する。搬送ローラ２の回転により直径１２ｃｍのディスク１が搬送されると、図２３に示すように、ゲートピン３ａ，４ａが所定間隔（８ｃｍより広い）以上に押し広げられ、規制部３ｂ，４ｂが第２のゲート６のアーム部６ａ，６ｂに当接する位置から退避する。これにより、第２のゲート６の回動規制が解除され、第２のゲート６は遮断位置から矢印Ｃで示す方向に回動し、ディスク１の通過が可能になる。搬送ローラ２がさらに回転することにより、直径１２ｃｍのディスク１が装着位置まで搬送される。
【００４４】
この実施の形態２においても、搬送路に沿って搬送される物体によりゲートピン３ａ，４ａが所定間隔以上に押し広げられたときにのみ、第２のゲート６の遮断が解除されるので、直径１２ｃｍのディスク１については第２のゲート６を通過させ、それ以外の物体については通過を遮断することができる。従って、実施の形態１と同様、記録再生装置内への異物の侵入を防止することができる。
【００４５】
実施の形態３．
図２４及び図２５は、実施の形態３に係る記録再生装置における第１及び第２のゲートの動作を示す上面図である。この実施の形態３では、第１のゲート（スライドゲート３，４）のゲートピン３ａ，４ａの間隔が１２ｃｍ以上に押し広げられないと第２のゲート６が回動しないよう、スライドゲート３，４の規制部３ｂ，４ｂの幅が太く形成されている。また、第２のゲート６は、直径１２ｃｍのディスク１がゲートピン３ａ，４ａを最大（１２ｃｍ）に押し広げた状態で、当該ディスク１の先端が第２のゲート６に達するような位置に配置されている。
【００４６】
図２４に示すように、直径１２ｃｍのディスク１の外周端面がゲートピン３ａ，４ａに当接すると、それぞれの接点に、当該外周端面に直交する方向の力Ｆ３，Ｆ４が作用する。この力Ｆ３，Ｆ４はＸ方向成分を有しているため、スライドゲート３，４は−Ｘ方向及び＋Ｘ方向にそれぞれ移動する。図２５に示すように、直径１２ｃｍのディスク１が搬送ローラ２により＋Ｙ方向に搬送されると、ゲートピン３ａ，４ａがディスク１によりさらに付勢され、スライドゲート３，４はさらに−Ｘ方向及び＋Ｘ方向にそれぞれ移動する。ゲートピン３ａ，４ａの間隔が１２ｃｍに押し広げられた時点で、スライドゲート３，４の規制部３ｂ，４ｂが第２のゲート６のアーム部６ａ，６ｂに当接する位置から退避し、第２のゲート６の回動規制が解除される。これにより、第２のゲート６が遮断位置から矢印Ｃで示す方向に回動し、ディスク１の通過が可能になる。
【００４７】
この実施の形態３によれば、ゲートピン３ａ，４ａの間隔が、使用対象のディスク１の直径（１２ｃｍ）と略同じ間隔に押し広げられたときにのみ、第２のゲート６の遮断が解除される。従って、挿入された物体のＸ方向寸法が１２ｃｍ未満の場合には、第２のゲート６の遮断を解除することができず、第２のゲート６の配設位置を越えて記録再生装置内に侵入することはできない。すなわち、この実施の形態３によれば、使用対象のディスク１よりも小さな異物の侵入を、より確実に防止することができる。
【００４８】
なお、上述した各実施の形態では、直径１２ｃｍのディスク１を記録再生装置内に搬入し、直径８ｃｍのディスク９を異物として排出することとしたが、搬入及び排出するディスクの直径は、ディスク装置の仕様に応じて適宜変更することができる。
【００４９】
【発明の効果】
以上発明したように、本発明によれば、搬送路に第１のゲートと第２のゲートとを設けると共に、第１のゲートの位置が搬送される物体により所定の位置まで変化したときに、第２のゲートが遮断を解除するよう構成したので、使用可能なディスク以外の物体が挿入された場合には、第２のゲートにおいて記録再生装置内への侵入を阻止することができる。従って、異物の侵入に伴う記録再生装置の故障を低減することができ、且つ、異物を除去するための煩雑な作業も不要になる。また、第１のゲートと物体との当接を利用するようにしたので、光学式の検知手段を用いた場合よりも誤検知が少なく、従って、装置構成を簡単化し、かつ信頼性を高めることができる。
【図面の簡単な説明】
【図１】この発明の実施の形態１に係る記録再生装置の外形を示す斜視図である。
【図２】この発明の実施の形態１に係る記録再生装置の搬送路の構成を示す斜視図である。
【図３】この発明の実施の形態１に係る記録再生装置の第２のゲート及びスライダを示す斜視図である。
【図４】この発明の実施の形態１に係る記録再生装置の第２のゲートの作用を示す模式図である。
【図５】この発明の実施の形態１に係る記録再生装置に直径１２ｃｍのディスクが挿入された場合の第１及び第２のゲートの状態を説明するための上面図である。
【図６】図５に示した状態から、直径１２ｃｍのディスクの搬送が開始された場合の第１及び第２のゲートの状態を説明するための上面図である。
【図７】図６に示した状態から、直径１２ｃｍのディスクがさらに搬送された場合の第１及び第２のゲートの状態を説明するための上面図である。
【図８】この発明の実施の形態１に係る記録再生装置において、直径８ｃｍのディスクが搬送路の幅方向中央部に挿入された場合の第１及び第２のゲートの動作例を示す上面図である。
【図９】この発明の実施の形態１に係る記録再生装置において、直径８ｃｍのディスクが搬送路の左端部に挿入された場合の第１及び第２のゲートの動作例を示す上面図である。
【図１０】この発明の実施の形態１に係る記録再生装置において、直径８ｃｍのディスクが搬送路の右端部に挿入された場合の第１及び第２のゲートの動作例を示す上面図である。
【図１１】この発明の実施の形態１に係る記録再生装置において、クレジットカードが搬送路の幅方向中央部に挿入された場合の第１及び第２のゲートの動作例を示す上面図である。
【図１２】この発明の実施の形態１に係る記録再生装置において、クレジットカードが搬送路の左端部に挿入された場合の第１及び第２のゲートの動作例を示す上面図である。
【図１３】この発明の実施の形態１に係る記録再生装置において、クレジットカードが搬送路の右端部に挿入された場合の第１及び第２のゲートの動作例を示す上面図である。
【図１４】この発明の実施の形態１に係る記録再生装置において、葉書が搬送路の幅方向中央部に挿入された場合の第１及び第２のゲートの動作例を示す上面図である。
【図１５】この発明の実施の形態１に係る記録再生装置において、葉書が搬送路の左端部に挿入された場合の第１及び第２のゲートの動作例を示す上面図である。
【図１６】この発明の実施の形態１に係る記録再生装置において、葉書が搬送路の右端部に挿入された場合の第１及び第２のゲートの動作例を示す上面図である。
【図１７】この発明の実施の形態１に係る記録再生装置において、アイスキャンディの棒が搬送路の幅方向中央部に挿入された場合の第１及び第２のゲートの動作例を示す上面図である。
【図１８】この発明の実施の形態１に係る記録再生装置において、アイスキャンディの棒が搬送路の左端部に挿入された場合の第１及び第２のゲートの動作例を示す上面図である。
【図１９】この発明の実施の形態１に係る記録再生装置において、アイスキャンディの棒が搬送路の右端部に挿入された場合の第１及び第２のゲートの動作例を示す上面図である。
【図２０】この発明の実施の形態３に係る記録再生装置おいて、直径８ｃｍのディスクの搬送時の第１及び第２のゲートの状態を示す上面図である。
【図２１】図２０に示した状態から、直径８ｃｍのディスクがさらに搬送されたときの第１及び第２のゲートの状態を示す上面図である。
【図２２】この発明の実施の形態２に係る記録再生装置おいて、直径１２ｃｍのディスクの搬送時の第１及び第２のゲートの状態を示す上面図である。
【図２３】図２２に示した状態から、直径１２ｃｍのディスクがさらに搬送されたときの第１及び第２のゲートの状態を示す上面図である。
【図２４】この発明の実施の形態３に係る記録再生装置おいて、直径１２ｃｍのディスクの搬送時の第１及び第２のゲートの状態を示す上面図である。
【図２５】図２４に示した状態から、直径１２ｃｍのディスクがさらに搬送されたときの第１及び第２のゲートの状態を示す上面図である。
【符号の説明】
１  直径１２ｃｍのディスク、  ２  搬送ローラ、  ３，４  スライドゲート（第１のゲート）、  ３ａ，４ａ  ゲートピン、  ３ｂ，４ｂ  規制部、  ５  ベース、  ５ａ，５ｂ  ピン、  ６  第２のゲート、  ６ａ，６ｂ  アーム部、６０，６１，６２  凸部、  ７  スライダ、  ８  コイルバネ、  ９  直径８ｃｍのディスク、  １０  クレジットカード、  １１  葉書、  １２  棒。
【図１】
2004348855.tif 000003
【図２】
2004348855.tif 000004
【図３】
2004348855.tif 000005
【図４】
2004348855.tif 000006
【図５】
2004348855.tif 000007
【図６】
2004348855.tif 000008
【図７】
2004348855.tif 000009
【図８】
2004348855.tif 000010
【図９】
2004348855.tif 000011
【図１０】
2004348855.tif 000012
【図１１】
2004348855.tif 000013
【図１２】
2004348855.tif 000014
【図１３】
2004348855.tif 000015
【図１４】
2004348855.tif 000016
【図１５】
2004348855.tif 000017
【図１６】
2004348855.tif 000018
【図１７】
2004348855.tif 000019
【図１８】
2004348855.tif 000020
【図１９】
2004348855.tif 000021
【図２０】
2004348855.tif 000022
【図２１】
2004348855.tif 000023
【図２２】
2004348855.tif 000024
【図２３】
2004348855.tif 000025
【図２４】
2004348855.tif 000026
【図２５】
2004348855.tif 000027